(57)【要約】【課題】書類作成の労力、特にパチンコ遊技用機械に関して所轄機関へ提出するべき公文書及びそれに順ずる書類作成の労力を減少することが出来る書類作成システムの提供。【課題を解決するための手段】必要な書類（パチンコ用遊技機に関する書類であって、防犯協会や所轄警察署等の所轄機関へ提出するべき公文書及びそれに順ずる書類）に関するデータを入力するための入力手段（１）と、必要な書類の電子データを作成する処理手段（２）と、該処理手段（２）で作成された書類の電子データが入力されて必要な書類を出力する出力手段（３）と、出力された書類を提出するべき機関（４、５）へ移動する書類移動手段（６）とを備え、前記処理手段（２）は、書類作成に必要なデータを記憶する記憶手段（２１）と、書類作成に関する処理を行う領域を処理手段内で選択する中央処理手段（２２）と、中央処理手段（２２）により選択されて且つ前記入力手段から入力されたデータと記憶手段（２１）から送出されたデータとを合成する作成手段（作成ブロック２３）とを包含している。【選択図】  図１
2004206323.tif 000002
【特許請求の範囲】
【請求項１】
必要な書類に関するデータを入力するための入力手段と、必要な書類の電子データを作成する処理手段と、該処理手段で作成された書類の電子データが入力されて必要な書類を出力する出力手段と、出力された書類を提出するべき機関へ移動する書類移動手段とを備え、前記処理手段は、書類作成に必要なデータを記憶する記憶手段と、書類作成に関する処理を行う領域を処理手段内で選択する中央処理手段と、中央処理手段により選択されて且つ前記入力手段から入力されたデータと記憶手段から送出されたデータとを合成する作成手段とを包含していることを特徴とする書類作成システム。
【請求項２】
前記必要な書類は、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択され、前記中央処理手段は、選択された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段として選択するように構成されている請求項１の書類作成システム。
【請求項３】
前記作成手段から出力された提出するべき書類のデータを所定の機関へ電子情報として配信する配信手段を有し、前記作成手段は、作成したデータに対応する書類の種類に応答して合成して作成したデータを前記出力手段或いは配信手段の何れかへ送出する様に構成されている請求項１、２の何れかの書類作成システム。
【請求項４】
必要な書類に関するデータを入力手段により入力する入力工程と、中央処理手段により書類作成に関する処理を行う領域を選択する選択工程と、書類作成に必要なデータを記憶する記憶手段から送出されたデータと前記入力手段から入力されたデータとを作成手段にて合成する書類データ作成工程と、出力手段により該データ合成工程で作成された書類の電子データから必要な書類を出力する出力工程とを備えていることを特徴とする書類作成方法。
【請求項５】
前記必要な書類は、前記入力工程で、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択され、前記選択工程では、前記中央処理手段が、選択された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段として選択するように構成されている請求項４の書類作成方法。
【請求項６】
前記作成手段から出力された提出するべき書類のデータを配信手段により所定の機関へ電子情報として配信する配信工程を有し、前記書類データ作成工程では、作成したデータに対応する書類の種類に応答して、合成して作成したデータを前記出力手段或いは配信手段の何れかへ送出する様に構成されている請求項４、５の何れか１項の書類作成方法。
【請求項７】
必要な書類に関するデータを入力手段により入力し、中央処理手段により書類作成に関する処理を行う領域を選択し、書類作成に必要なデータを記憶する記憶手段から送出されたデータと前記入力手段から入力されたデータとを作成手段にて合成し、出力手段により該データ合成工程で作成された書類の電子データから必要な書類を出力することを特徴とするプログラムを記憶しているコンピュータ読み取り可能な媒体。
【請求項８】
前記プログラムでは、前記必要な書類は、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択され、前記中央処理手段が、選択された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段として選択するように構成されている請求項７のプログラムを記憶しているコンピュータ読み取り可能な媒体。
【請求項９】
前記プログラムでは、前記作成手段から出力された提出するべき書類のデータを配信手段により所定の機関へ電子情報として配信し、作成したデータに対応する書類の種類に応答して、合成して作成したデータを前記出力手段或いは配信手段の何れかへ送出する様に構成されている請求項７、８の何れかのプログラムを記憶しているコンピュータ読み取り可能な媒体。
【発明の詳細な説明】
【０００１】
【発明の属する技術分野】
本発明は、各種事業（例えば、パチンコ店舗の経営）に際して必要となる書類の作成に関する。より詳細には、必要な書類作成に必要な労力を軽減することが出来る書類作成システムの改良に関する。
【０００２】
【従来の技術】
事業を営むにあたって、所轄官庁、関係団体等に、各種書類を提出して、必要な許認可を得なければならないケースが多い。許認可のみならず、日常における各種業務の遂行に際しては、関連部所間で書類の授受が必要となる。
【０００３】
例えば、パチンコ店舗を経営しようとする場合、図９で示す様な書類の授受が必要となる。
【０００４】
パチンコ店舗６０を新規開店或いは拡張するに際して、パチンコ台を遊技機メーカ５１に対して発注する。
遊技機メーカ５１は公安委員会５２に対して、各パチンコ台の機種毎に検定申請（新しい機種の遊技機、例えばパチンコ台は、公安委員会の検定を受ける必要があり、検定申請には検定データを所定の用紙に記入して提出）を行っており、これに対して公安委員会５２は、遊技機メーカ５１に検定にパスしたことを示した検定通知書を送付する。
遊技機メーカ５１は、発注のあったパチンコ店舗６０に、パチンコ台の保証書及び遊技機販売経路確認書を添えて、当該検定通知書を送付する。
【０００５】
パチンコ店舗６０は、遊技機メーカ５１から送付された検定書、保証書、遊技機販売経路確認書に店内のレイアウトを示す島図（２、３枚）を添えて、所轄の公安委員会５２に提出する。
或いは、パチンコ台がスロットに変わると、枠の大きさが変わり、店内に入る台数が変化してしまうのでレイアウト変更が行われる。そうした場合は、変更承認申請書、変更届出書（正・副）、店内移動の概要説明、遊技機入替明細書（正・副）、封印シール番号対照一覧表（正・副）を公安委員会に提出する。その際に遊技機のみのレイアウトを示す概略島図が必要となる。
ここで、封印シールとは、パチンコ台の制御部に違法ＲＯＭが挿入されない様に封印するシールである。
【０００６】
また、パチンコ店舗６０は、遊技機入替明細書、ＡＭマーク除却届出書（２、３枚）、ＡＭマーク貼付申請書、ＡＭマーク貼付申請遊技機の型式名簿、ＡＭマーク貼付遊技機明細表を、地域の防犯協会および県遊技業組合４に提出する。
ここで、ＡＭマークとは、防犯協会で正式に認められた機械であるという証明マークであり、ＡＭマークを外す時には、除去届（除却届）が必要となる。
それらに対して、防犯協会４はＡＭマーク管理番号を当該パチンコ店６０に与える。
【０００７】
更に、パチンコ店舗６０は、所轄の警察署５に対して、封印シール番号対照一覧表を提出する。
【０００８】
また、パチンコ店舗６０は、廃棄・買取業者５３とも、契約を結んでおり、パチンコ台の廃棄及び売却の際には廃棄・売却台の運搬を依頼し、特に廃棄の場合には廃棄・買取業者５３に代金を支払う。或いは中古機械としての代金を貰う。
【０００９】
複数のパチンコ店舗を傘下に収めている企業であれば、当該店舗間で書類をやり取りする必要があり、図１０で示す様に、書類のやり取りが、図９で説明した場合よりも、さらに複雑化してくる。
【００１０】
図１０では、図９における単一のパチンコ店舗６０がグループ本社管理部門６０Ｇとなり、そのグループ本社管理部門６０Ｇは複数のパチンコ店舗６Ａを統括し、保管ユニット６ａ、総務ユニット６ｂ、ポスター印刷ユニット６ｃを有している。
【００１１】
保管ユニット６ａは、具体的にはパチンコ台を管理、貯蔵する部門であり、倉庫その他の管理、貯蔵用スペースを有している。例えば、パチンコ店舗６Ａからの撤去台等を保管ユニット６ａに運び込み。
【００１２】
総務ユニット６２はグループ本社６０Ｇの総務機能を有する部署であり、前述の各種書類の保管や、書類更新時の書類の差し替え、及び、現金の出し入れ等を担当している。
【００１３】
ポスター印刷ユニット６ｃは当該グループ６０Ｇで、パチンコ店６Ａ内のポスターを作成する部門であり、ポスター作成のための印刷用機器（プリンタその他）を所有している。そして、傘下のパチンコ店６Ａで表示する各種のポスターを一括して印刷している。
【００１４】
従来、上述したような各種書類において、書式は法定されていない場合がある。
その様な場合、例えば、パチンコ店舗が所属する地域における防犯協会４や所轄警察署５の担当部署等に備え付けられている書式見本を購入して、当該書式見本に従って書類を作成していた。
【００１５】
しかし、例えばパチンコ店舗６０、６Ａの移転により、所轄の警察署５その他の機関が変更となり、或いは、傘下のパチンコ店舗の数が増加し、複数の警察署その他の機関の所轄に跨るような事態となった場合には、提出するべき書類の書式が、それ以前における書式とは相違してしまう事態が発生する。
さらに、同一の機関であっても、組織変更等で担当部署が変更となり、或いは、人事異動等で担当者が変わった場合にも、必要な書類におけるチェック内容が変わる場合も存在する。
【００１６】
これ等の事情により、書類作成の労力は増加していく。
それに対して、書類作成の労力、特に、パチンコ用遊技機の設置、廃棄等に関連する書類であって、防犯協会や所轄機関（例えば、所轄警察署）へ提出するべき公文書及びそれに順ずる書類作成の労力については、減少するための有効な手段は、現時点では提案されていない。
【００１７】
【発明が解決しようとする課題】
本発明は上述した従来技術の問題点に鑑みて提案されたものであり、書類作成の労力、特にパチンコ遊技用機械に関して所轄機関へ提出するべき公文書及びそれに順ずる書類作成の労力を減少することが出来る書類作成システムの提供を目的としている。
【００１８】
【課題を解決するための手段】
本発明の書類作成システムは、コンピュータを利用する書類作成ユニットであって、必要な書類（パチンコ用遊技機に関する書類であって、防犯協会や所轄警察署等の所轄機関へ提出するべき公文書及びそれに順ずる書類）に関するデータを入力するための入力手段（例えば、ＰＣ端末１）と、必要な書類の電子データを作成する処理手段（処理ユニット２）と、該処理手段（処理ユニット２）で作成された書類の電子データが入力されて必要な書類を出力（プリントアウト及び／又は表示）する出力手段（例えば、プリンタ、ディスプレイ３）と、出力された書類を提出するべき機関（例えば、防犯協会４、所轄警察署等５）へ移動（例えば、持参、提出、郵送等）する書類移動手段（部署等：管理ユニット６）とを備え、前記処理手段（処理ユニット２）は、書類作成に必要なデータ（書式に関するデータ、マスタ等）を記憶する記憶手段（記憶ブロック２１、データベース）と、書類作成に関する処理を行う領域を処理手段内で選択（或いは指定）する中央処理手段（ＣＰＵ２２）と、中央処理手段（２２）により選択（或いは指定）されて且つ前記入力手段（１）から入力されたデータと記憶手段（２１）から送出されたデータとを合成する作成手段（作成ブロック２３）とを包含している（請求項１）。
ここで、本明細書では、「コンピュータ」なる文言は、パーソナルコンピュータ、ワークステーションのような電子計算機や、それ専用の各種ツールのみならず、いわゆる「電卓」、チップ、携帯電話、その他の情報処理能力を有する手段一般を意味している。
【００１９】
上述した本発明の書類作成システムにおいて、前記必要な書類は、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択（或いは指定）され、前記中央処理手段（ＣＰＵ２２）は、選択（或いは指定）された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段（作成ブロック２３）として選択するように構成されているのが好ましい（請求項２）。
【００２０】
さらに上述した本発明の書類作成システムにおいて、前記作成手段（作成ブロック２３）から出力された提出するべき書類のデータを所定の機関（例えば、防犯協会４、所轄警察署５等）へ電子情報として配信する配信手段（データ配信ユニット６２）を有し、前記作成手段（作成ブロック２３）は、作成したデータに対応する書類の種類に応答して合成して作成したデータを前記出力手段（３）或いは配信手段（６２）の何れかへ送出する様に構成されているのが好ましい（請求項３）。
【００２１】
また、本発明の書類作成方法は、コンピュータを利用する書類作成方法であって、必要な書類（パチンコ用遊技機に関する書類であって、防犯協会（４）や所轄警察署（５）等の所轄機関へ提出するべき公文書及びそれに順ずる書類）に関するデータを入力手段（例えば、ＰＣ端末１）により入力する入力工程（Ｓ３）と、中央処理手段（ＣＰＵ２２）により書類作成に関する処理を行う領域を（処理手段或いは処理ユニット２から）選択（或いは指定）する選択工程（Ｓ６）と、書類作成に必要なデータ（書式に関するデータ、マスタ等）を記憶する記憶手段（記憶ブロック、データベース２１）から送出されたデータ（例えば書式データ）と前記入力手段１から入力されたデータとを作成手段（作成ブロック２３）にて合成する書類データ作成工程（Ｓ７）と、出力手段（例えば、プリンタ、ディスプレイ１）により該データ合成工程（Ｓ７）で作成された書類の電子データから必要な書類を出力（プリントアウト及び／又は表示）する出力工程（Ｓ１１）とを備えている（請求項４）。
ここで、出力された書類を書類移動手段（部署等：管理ユニット６）により提出するべき機関（例えば、防犯協会４、所轄警察署５等）へ移動（例えば、持参、提出、郵送等）する提出工程（Ｓ１２）とを備えているのが好ましい。
【００２２】
本発明の書類作成方法において、前記必要な書類は、前記入力工程（Ｓ３）で、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択（或いは指定）され、前記選択工程（Ｓ６）では、前記中央処理手段（ＣＰＵ２２）が、選択（或いは指定）された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段（作成ブロック２３）として選択するように構成されているのが好ましい（請求項５）。
【００２３】
さらに上述した本発明の書類作成方法において、前記作成手段（作成ブロック２３）から出力された提出するべき書類のデータを配信手段（データ配信ユニット６２）により所定の機関（例えば、防犯協会４、所轄警察署５等）へ電子情報として配信する配信工程（Ｓ２２）を有し、前記書類データ作成工程（Ｓ７）では、作成したデータに対応する書類の種類に応答して、合成して作成したデータを前記出力手段（３）或いは配信手段（６２）の何れかへ送出する様に構成されているのが好ましい（請求項６）。
【００２４】
これに加えて、本発明の書類作成プログラムを記憶したコンピュータ読み取り可能な媒体は、コンピュータを利用する書類作成プログラムであって、必要な書類（パチンコ用遊技機に関する書類であって、防犯協会や所轄警察署等の所轄機関へ提出するべき公文書及びそれに順ずる書類）に関するデータを入力手段（例えば、ＰＣ端末１）により入力し、中央処理手段（ＣＰＵ２２）により書類作成に関する処理を行う領域を（処理手段或いは処理ユニット２から）選択（或いは指定）し、書類作成に必要なデータ（書式に関するデータ、マスタ等）を記憶する記憶手段（記憶ブロック２１、データベース）から送出されたデータ（例えば書式データ）と前記入力手段（１）から入力されたデータとを作成手段（作成ブロック２３）にて合成し、出力手段（例えば、プリンタ、ディスプレイ３）により該データ合成工程で作成された書類の電子データから必要な書類を出力（プリントアウト及び／又は表示）するプログラム（Ｐ）を記憶している（請求項７）。
【００２５】
本発明のコンピュータ読み取り可能な媒体が記憶している記憶プログラム（Ｐ）では、前記必要な書類は、変更承認申請書、変更届出書、遊技機入替明細書、封印シール番号対照一覧表、島図、ＡＭマーク除却届出書、ＡＭマーク貼付申請書、ＡＭマーク貼付申請遊技機の型式名簿、ＡＭマーク貼付遊技機明細表の何れかから選択（或いは指定）され、前記中央処理手段（ＣＰＵ２２）が、選択（或いは指定）された書類に対応して、変更承認申請書及び変更届出書作成ブロック、遊技機入替明細書作成ブロック、封印シール番号対照一覧表作成ブロック、島図作成ブロック、ＡＭマーク除却届出書作成ブロック、ＡＭマーク貼付申請書作成ブロック、ＡＭマーク貼付申請遊技機の型式名簿作成ブロック、ＡＭマーク貼付遊技機明細表作成ブロックの何れかを作成手段（作成ブロック２３）として選択するように構成されているのが好ましい（請求項８）。
【００２６】
さらに上述した本発明のコンピュータ読み取り可能な媒体が記憶している書類作成プログラム（Ｐ）では、前記作成手段（作成ブロック２３）から出力された提出するべき書類のデータを配信手段（データ配信ユニット６２）により所定の機関（例えば、防犯協会４、所轄警察署５等）へ電子情報として配信し、作成したデータに対応する書類の種類に応答して、合成して作成したデータを前記出力手段（３）或いは配信手段（６２）の何れかへ送出する様に構成されているのが好ましい（請求項９）。
【００２７】
係る構成を具備した本発明によれば、書類作成に必要なデータであって、例えば書式のように複数回に亘って使用するデータについては、記憶手段（記憶ブロック２１、データベース）における書式に関するデータ、マスタ、その他として記憶し、必要な書類の作成にのみ使用するデータは、入力手段（１）を介して入力し、両者のデータを合成することにより、必要な書類のデータを簡単に合成することが出来る。
そして、書式データが異なるような事態（所轄期間の変更や追加、担当部署の変更）等が生じた場合には、記憶手段（記憶ブロック２１、データベース）における書式に関するデータ、マスタ、その他を変更することにより、容易に対処することが出来る。
その結果、特にパチンコ店舗経営に際して必要とされる各種書類の作成の労力が著しく低減されるのである。
【００２８】
ここで、書式データの入力や変更に際しては、システム化する前のフォーマットを参照して、電算化すればよい。そして、入力、変更に際しては、市販のアプリケーションソフトを使うのみならず、所謂「ツール（例えば「パワービルダー」の商品名で知られる市販のツール等）を使って、既存の書式を電子化すれば良い。
【００２９】
【発明の実施の形態】
以下、添付図面を参照して、本発明の実施形態について説明する。
【００３０】
先ず、図１〜図６を参照して本発明の第１実施形態を説明する。
図１において、複数のパチンコ店舗６Ａを有する図示しない遊技業グループ（当該遊技業グループに符号Ｇを付す）の管理全般を統括する管理ユニット６は、ＰＣ（パソコン）端末のキーボード等の入力手段１と、処理ユニット２と、プリンタ及びディスプレイ等の出力手段３と、回線Ｌによって直接接続されている。
【００３１】
前記処理ユニット２は、中央演算書誌手段であるＣＰＵ２２と各種書類を作成する作成ブロック２３と書式データ、店舗データ、各店舗のレイアウトデータ等を記憶した記憶ブロック２１とで構成されている。
【００３２】
前記各種書類とは、変更承認申請書Ｓｅ、変更届出書Ｓｆ、遊技機入替明細書Ｓｈ、封印シール番号対照一覧表Ｓｉ、島図Ｓｇ、ＡＭマーク除却届出書Ｓｊ、ＡＭマーク貼付申請書Ｓｋ、ＡＭマーク貼付申請遊技機の型式名簿Ｓｍ、ＡＭマーク貼付遊技機明細表Ｓｎである。
【００３３】
当該遊技業グループＧは、関係各書類の授受及び作成を管理・制御する管理ユニット６と、傘下の複数のパチンコ店舗６Ａと、例えば保管倉庫である保管ユニット６ａと、グループ内の総務機能を担当する総務ユニット６ｂと、グループ内の店舗６Ａ内に貼るポスター等の掲示物を一括して印刷するポスター印刷ユニット６ｃを所有している。
【００３４】
当該遊技業グループＧが所有するパチンコ店舗６Ａを新規開店、或いは拡張するに際して、パチンコ台を遊技機メーカ５２に対して例えば入力手段１及び処理ユニット２を介して発注Ｓｘする。
【００３５】
一方、遊技機メーカ５１は公安委員会５２に対して、各パチンコ台の機種毎に検定申請（新しい機種の遊技機、例えばパチンコ台は、公安委員会の検定を受ける必要があり、検定申請には検定データを所定の用紙に記入して提出）Ｓａを行っており、これに対して公安委員会５２は、遊技機メーカ５１に検定にパスしたことを示した検定通知書Ｓｂを送付する。
【００３６】
遊技機メーカ５１は、発注のあった当該グループＧの管理ユニット６に、パチンコ台の保証書Ｓｃ及び遊技機販売経路確認書Ｓｄを添えて、当該検定通知書Ｓｂを送付する。
【００３７】
前記管理ユニット６は、遊技機メーカ５１から送付された検定通知書Ｓｂ、保証書Ｓｃ、遊技機販売経路確認書Ｓｄに店内のレイアウトを示す島図Ｓｇを添え、公安委員会５２に提出する。
或いは、パチンコ台がスロットに変わると、枠の大きさが変わり、店内に入る台数が変化してしまうのでレイアウト変更が行われる。そうした場合は、変更承認申請書Ｓｅ、変更届出書Ｓｆ、店内移動の概要説明Ｓｑ、遊技機入替明細書Ｓｈ、封印シール番号対照一覧表Ｓｉを所轄の公安委員会５２に提出する。その際に遊技機のみのレイアウトを示す概略島図（図１１を参照：図１１の島図では店内のパチンコ台の配置が、各パチンコの台版によって示されている）が必要となる。
ここで、封印シールとは、パチンコ台の制御部に違法ＲＯＭが挿入されない様に封印するシールである。
【００３８】
また、管理ユニット６は、遊技機入替明細書Ｓｈ、ＡＭマーク除却届出書Ｓｊ、ＡＭマーク貼付申請書Ｓｋ、ＡＭマーク貼付申請遊技機の型式名簿Ｓｍ、ＡＭマーク貼付遊技機明細表Ｓｎを、地域の防犯協会４および県遊技業協会に提出する。
ここで、ＡＭマークとは、防犯協会４で正式に認められた機械であるという証明マークであり、ＡＭマークを外す時には、除去届（除却届）が必要となる。
それらに対して、防犯協会４はＡＭマーク管理番号Ｓｏを当該パチンコ店５０に与える。
【００３９】
更に、管理ユニット６は、所轄の警察署５に対して、封印シール番号対照一覧表Ｓｉを提出する。
【００４０】
グループ内のパチンコ店舗６Ａがパチンコ台の入れ替えの際には、パチンコ店舗６Ａは管理ユニット６に対して入替指示を行う。
入替指示を受けた管理ユニット６は、当該パチンコ店舗６Ａに対して遊技機入替明細書Ｓｈを送付すると共に、グループ内の保管ユニット（保管倉庫）６ａに枠リストＳｐ、遊技機入替明細書Ｓｈ、封印シール番号対照一覧表Ｓｉを送付する。
【００４１】
また、管理ユニット６は、廃棄・買取業者５３とも、廃棄・売却契約Ｓｒを結んでいる。
【００４２】
廃棄・売却の際には、管理ユニット６は当該店舗６Ａに必要書類を送付し、これを受けた当該店舗６Ａは、保管ユニット６ａに撤去台を搬出し、保管ユニット６ａは廃棄・買取業者５３に廃棄・売却台を持ち込み、処分を依頼する。
【００４３】
ここで、保管ユニット６ａ、総務ユニット６ｂ、ポスター印刷ユニット６ｃは、図１０の従来技術で説明したものと機能に関しては同様である。
【００４４】
図２は図１で示すシステムの要部である処理ユニット２を更に詳細に説明するブロック図である。
図２において、処理ユニット内が実機においても独立した複数の機器ブロックから構成されていても良いが、コンピュータ内でアドレスを適宜指定して、ハードディスク等を機能的に分割することが好ましい。その場合において、図２は、単一のコンピュータ（或いは複数のコンピュータからネットワーク）内における機能ブロックを示している。
【００４５】
図２において、明確には図示しない入力手段１は、入力ラインＬｉによって、変更承認申請書及び変更届出書を作成する「変更承認申請書及び変更届出書作成ブロック２３ｅ」、
店内移動の概要データを作成する「店内移動の概要作成ブロック」２３ｑ、
遊技機入替明細書を作成する「遊技機入替明細書作成ブロック」２３ｈ、
封印シール番号対照一覧表を作成する「封印シール番号対照一覧表作成ブロック」２３ｉ、
島図を作成する「島図作成ブロック」２３ｇ、
ＡＭマーク除却届出書を作成する「ＡＭマーク除却届出書作成ブロック」２３ｊ、
ＡＭマーク貼付申請書を作成する「ＡＭマーク貼付申請書作成ブロック」２３ｋ、
ＡＭマーク貼付申請遊技機の型式名簿を作成する「ＡＭマーク貼付申請遊技機の型式名簿作成ブロック」２３ｍ、
ＡＭマーク貼付遊技機明細表を作成する「ＡＭマーク貼付遊技機明細表作成ブロック」２３ｎ、
に接続されている。
【００４６】
一方記憶ブロック２１は、入出力を行うラインＬｍによって、
「変更承認申請書及び変更届出書作成ブロック」２３ｅ、
「店内移動の概要作成ブロック」２３ｑ、
「遊技機入替明細書作成ブロック」２３ｈ、
「封印シール番号対照一覧表作成ブロック」２３ｉ、
「ＡＭマーク除却届出書作成ブロック」２３ｊ、
「ＡＭマーク貼付申請書作成ブロック」２３ｋ、
「ＡＭマーク貼付申請遊技機の型式名簿作成ブロック」２３ｍ、
に接続されている。また、ラインＬｘによって「遊技機設置状況登録（変更）ブロック」２３ｘに接続されている。
【００４７】
そして、「遊技機設置状況登録（変更）ブロック」２３ｘで作成された遊技機設置状況データは、「島図作成ブロック」２３ｇにおいて島図を作成する場合に活用される。
【００４８】
また、各作成ブロックからの出力ラインＬｏは、前記出力手段３に接続されている。
【００４９】
次に、図３〜図６を参照して、図１、図２で示す第１実施携帯を用いた書類作成の手順について説明する。
【００５０】
図３の第１実施形態における書類作成手順のフローチャートにおいて、ステップＳ１では、書類を作成するか否かを繰返しチェックしており、作成するのであれば（ステップＳ１のＹＥＳ）、ステップＳ２で、必要書類の作成に係るブロック（アドレス）を、入力手段１によって指定（入力）する。
【００５１】
ステップＳ２における提出するべき書類作成にかかる（機能）ブロックの指定が処理手段２のＣＰＵ２２により行われたならば、入力手段１の図示しないディスプレイには、例えば図４で示す様なメニュー画面Ｍが表示される。
【００５２】
図４は入力手段１のディスプレイに表示されるメニュー画面の１例であり、図４で示すメニュー画面Ｍから、書類作成に必要なデータ入力画面を指定して（図４中、Ｆ９の仮想のブロック（１）〜（０）、（ａ）〜（Ｉ）で示すブロックを選択することにより、指定し）、書類作成に必要なデータの入力作業を行う（図３のステップＳ３、Ｓ４）。
【００５３】
ここで、データベース或いは記憶ブロック２１に記憶されて、一定の期間に亘って何回も使用されるデータ（例えば、検定番号（全国統一の番号）に関するデータが検定マスタ）を図４では「マスタ」と表示しており、一回の書類作成作業でしか使用されないデータを図４では「データ」と表示している。
【００５４】
なお、各パチンコ店舗の役職者等の情報やパチンコ店舗毎の属性等を入力する処理は、図４のメンテナンス（Ｆ５の仮想のブロック（１）、（３）、（ａ）、（Ｃ）、（Ｄ）、（Ｅ）、（Ｊ）の各作業）というメニューを選択することにより行われる。
ここで、メンテナンスとしては初期入力をも含む。換言すれば、初期入力は、極めて初期にだけ行われる作業であるので、「保守」と同等に取り扱っている。
【００５５】
図３のステップＳ３、Ｓ４において、例えば、パチンコ台の入れ替え作業を行う場合における書類作成に必要なデータ入力について、図５を例示して説明する。
【００５６】
図５において、業務フローは、時系列が上流側（前側：図中左側）のデータの入力が完了しないと、下流側（後側：図中右側）のデータの入力が出来ないように構成されている。
【００５７】
例えば、パチンコ台の入替業務を行う場合、入出力データの欄は、「入力データ」となる。
【００５８】
新しい機種の場合Ｒ１は、検定データが必要であり、予めデータベース（図１の符号２１）に記憶された検定マスタ（の書式：電子上の用紙）Ｄ０に入力Ｊｂ１する必要が有る。
一方、新しくない機種（他の店から来たもの：再設置台、中古台）の場合Ｒ２は、検定データＤ１が既にあるので、データベース（図１の符号２１）から当該データＤ１を引っ張ってくれば（Ｊｂ２）良い。
ここで、「新しい」、「新しくない」の判断は、図示の実施形態に係るシステムにとっての「新しいか」、「否か」で決定される。換言すれば、新品であっても、既に他のパチンコ店舗で購入された機種であれば、Ｒ２、Ｒ３のルート（いずれも入替指示があった場合のルート）となる。
【００５９】
次に、遊技機データＤ１をキーボード１からコンピュータ（処理ユニット２）に入力する。
【００６０】
遊技機設置状況登録Ｊｂ３においては、既に入力されているフォーマットの所定の位置に所定のデータＤ２（入替指示データ、設置状況データ）を記入して作成する。
この時点では、図３のステップＳ５、Ｓ６で示す処理が完了しているので、入力手段のディスプレイ上には、必要な書式のフォームが表示されている。
【００６１】
図３のステップＳ３、Ｓ４において、図５で示す入れ替え時におけるデータ入力を行った後の段階におけるデータ入力について、図６で例示してある。
【００６２】
図６を参照して、入替入力後の処理手順について説明する。
「検定マスタ、検定日付マスタ、遊技機データ、入替指示データ、設置状況データ」（以上符号Ｄ３）は図５において既に入力してあるので、ここでは入力しない。
この時点では、図３のステップＳ５、Ｓ６で示す処理が完了しているので、入力手段のディスプレイ上には、必要な書式のフォームが表示されている。
【００６３】
Ｄ３で示すデータはそのまま出力されて、「ＡＭマーク除却届出書、ＡＭマーク貼付申請書、ＡＭマーク貼付申請遊技機の型式名簿、ＡＭマーク貼付遊技機明細表」Ｊｂ５の書類が自動的に作成される。
【００６４】
図３を参照して、後述する手順を経て、「ＡＭマーク除却届出書、ＡＭマーク貼付申請書、ＡＭマーク貼付申請遊技機の型式名簿、ＡＭマーク貼付遊技機明細表」Ｊｂ５の書類が遊技業協会４および／又は社内各部署６６等の所定の施設に提出されて、ＡＭマーク番号が発行される。
当該ＡＭ番号は、必要な時点で、再び図３のステップ１〜ステップＳ３、Ｓ４の作業を行い、入力される。
なお、ＡＭマーク番号のデータは、遊技機データの中に入る。そのため、図５、図６では、ＡＭマークデータ入力というのが表示されていない。
【００６５】
再び図３に戻り、ステップＳ７以降について説明する。
【００６６】
ステップＳ７では、入力手段１で入力したデータと記憶ブロック２１で抽出した書式データとを合成する。処理ユニット２は合成が完了したか否かを判断（ステップＳ８）し、完了するまでステップＳ７以降の工程を繰り返す。
【００６７】
合成が完了したならば（ステップＳ８のＹＥＳ）、処理ユニット２は合成したデータを出力手段３に送り（ステップＳ９）、次のステップＳ１０では、出力手段３へ全てのデータの送信が完了したか否かを判断する。
【００６８】
出力手段３へ全てのデータの送信が完了して否ければ（ステップＳ１０のＮＯ）、ステップＳ９以降を繰返し、完了していれば（ステップＳ１０のＹＥＳ）、プリントアウトし（ステップＳ１１）、所定施設への郵送・提出等の作業を行い（ステップＳ１２）、一連の書類作成処理を完了する。
【００６９】
上述したような構成を具備した本発明の第１実施形態によれば、書類作成に必要なデータであり、書式のように複数回に亘って使用するデータについては、記憶ブロック２１における書式に関するデータ、マスタ、その他として記憶し、必要な書類の作成にのみ使用するデータは、入力手段、例えばキーボード１を介して入力し、両者のデータを合成することにより、必要な書類のデータを簡単に合成することが出来る。
そして、書式データが異なるような事態（所轄期間の変更や追加、担当部署の変更）等が生じた場合には、記憶ブロック２１における書式に関するデータ、マスタ、その他を変更することにより、容易に対処することが出来る。
その結果、特にパチンコ店舗経営に際して必要とされる各種書類の作成の労力が著しく低減される。
【００７０】
次に、図７と図８を参照して、本発明の第２実施形態について説明する。
【００７１】
第１実施形態では、管理ユニット６は、その他のユニット６Ａ、６ａ、６ｂ、６ｃ或いは施設４、５、５１、５２、５３について、全て書類の形態でやり取りをしている。
これに対して、図７、図８で示す第２実施形態では、その他のユニット６Ａ、６ａ、６ｃ或いは施設の一部４、５１との間で、電子化した情報を授受する様に構成されている。
【００７２】
図７を参照して、第２実施形態のシステムについて説明する。
図７の第２実施形態は、上述したように、管理ユニット６Ｅの内部構成を、グループ内の他のユニット或いは施設の一部との間で、電子化した情報を授受出来るように対応させている。
【００７３】
すなわち、管理ユニット６Ｅは、管理小ユニット６１とデータ配信ユニット６２と書類送付ユニット６３とで構成されている。
【００７４】
前記管理小ユニット６１は各パチンコ店舗６Ａと通信ラインＬｅ１によって、入力手段１とラインＬｅ２によって接続されている。更に、遊技機メーカとはラインＬｅ３、防犯協会４とはラインＬｅ４によって接続されている。
【００７５】
前記データ配信ユニット６２は、各店舗６ＡとラインＬｅ６によって、保管ユニット６ａとラインＬｅ７によって、ポスター印刷ユニット６ｃとラインＬｅ８によって接続されている。更に、遊技機メーカとはラインＬｅ９、防犯協会４とはラインＬｅ１０によって接続されている。
【００７６】
前記書類送付ユニット６３は、出力主題イ３とラインＬｅ１１によって、総務ユニット６ｂとラインＬｅ１４によって、廃棄・買取業者５３とラインＬｅ１５によって接続されている。更に、公安委員会５２とはラインＬｅ１２、所轄の警察署５とはラインＬｅ１３によって接続されている。
【００７７】
図７において、電子情報の授受を可能とする通信ラインは実線によって示されるラインＬｅ１〜Ｌｅ１０、及びＬｅ１１である。
【００７８】
管理ユニット６Ｅと、グループ内の各ユニット６Ａ、６ａ、６ｂ、６ｃ、及び各施設４、５、５１、５２、５３と授受される書類は、図１〜図６の第１実施形態と同様である。
【００７９】
図８は第２実施形態を用いた書類作成或いは電子化された情報の授受手順の一部を示すフローチャートである。
図８のフローチャートにおいて、スタートの「Ａ」は図３の符号「Ａ」よりも上流側の全ステップと同様であり、図３の符号「Ａ」よりも下流側、換言すれば、第１実施形態とは異なる部分の手順を含んでいる。
【００８０】
図８の「Ａ」以降、ステップＳ２１では処理ユニット２は合成した書式データを電子情報として処理するのか、紙に印刷するのかを判断する。
【００８１】
電子情報として処理する場合は、ステップＳ２２に進み合成データをデータ配信ユニット６２へ送信し、データ配信ユニットへの送信が完了するまで完了のチェック（ステップＳ２３）が行われる。
【００８２】
データ配信ユニットへの送信が完了すれば（ステップＳ２３のＹＥＳ）、データ配信ユニット６２より所定の施設に合成データ（電子情報）が配信される（ステップＳ２４）。
【００８３】
また、ステップＳ２１において紙に印刷すると判断された場合は、ステップＳ２５で合成データをそのまま出力手段であるプリンタ３へ送信する。
【００８４】
次のステップＳ２６では処理手段２は出力手段３への送信が完了するまでチェックが行われ、送信が完了したならば（ステップＳ２６のＹＥＳ）、ステップＳ２７でプリントアウト（印刷）される。
【００８５】
次のステップＳ２８では書類送付ユニット６３へ印刷物が送られ、その書類送付ユニット６３は提出すべき施設へ持参、又は提出する（ステップＳ２９）。
【００８６】
書式データの入力や変更に際して、システム化する前のフォーマットを参照して、電算化すれば更に効率良く書類の作成が出来る。
その時の入力、変更に際しては、市販のアプリケーションソフトを使うのみならず、所謂「ツール（例えば「パワービルダー」の商品名で知られる市販のツール等）を使って、既存の書式を電子化することが出来る。
【００８７】
図示の実施形態はあくまでも例示であり、本発明の技術的範囲を限定するものではない。
【００８８】
【発明の効果】
本発明の作用効果を以下に列挙する。
（１）  書類作成に必要なデータで、書式のように複数回に亘って使用するデータについては、記憶手段における書式に関するデータ、マスタ、その他として記憶し、必要な書類の作成にのみ使用するデータについては、入力手段を介して入力し、両者のデータを合成することにより、必要な書類のデータを簡単に合成することが出来る。
（２）  所轄期間の変更や追加、担当部署の変更等の書式データが異なるような事態が生じた場合には、記憶手段における書式に関するデータ、マスタ、その他を変更することにより、容易に対処することが出来、特にパチンコ店舗経営に際して必要とされる各種書類の作成の労力が著しく低減される。
（３）  書式データの入力や変更に際して、システム化する前のフォーマットを参照して、電算化すれば更に効率良く書類の作成が出来る。
（４）  入力、変更に際しては、市販のアプリケーションソフトを使うのみならず、所謂「ツール（例えば「パワービルダー」の商品名で知られる市販のツール等）を使って、既存の書式を電子化することが出来る。
【図面の簡単な説明】
【図１】本発明の第１実施形態のシステム全体の概要を示すブロック図。
【図２】図１で示すシステムの要部である処理ユニットを説明するブロック図。
【図３】第１実施形態における書類作成手順を示すフローチャート。
【図４】入力手段のディスプレイに表示されるメニュー画面の１例を示した図。
【図５】第１実施形態において、入替に関する業務フローを示した図。
【図６】第１実施形態において、特にＡＭマークに関して入替入力後の業務フローを示した図。
【図７】本発明の第２実施形態のシステム全体の概要を示すブロック図。
【図８】本発明の第２実施形態を用いた書類作成或いは電子化された情報の授受手順の一部を示すフローチャート。
【図９】従来技術におけるシステムの概要の一例を示すブロック図。
【図１０】従来技術における他のシステムの概要を示すブロック図。
【図１１】島図の１例を示した図。
【符号の説明】
１・・・入力手段
２・・・処理ユニット
３・・・出力手段
４・・・防犯協会／県遊技業協会
５・・・警察本部
６・・・管理ユニット
６Ａ・・・パチンコ店舗
６ａ・・・保管ユニット
６ｂ・・・総務ユニット
６ｃ・・・ポスター印刷ユニット
２１・・・記憶ブロック
２２・・・ＣＰＵ
２３・・・作成ブロック
５１・・・遊技機メーカ
５２・・・公安委員会
５３・・・廃棄・買取業者
６１・・・管理小ユニット
６２・・・データ配信ユニット
６３・・・書類送付ユニット
【図１】
2004206323.tif 000003
【図２】
2004206323.tif 000004
【図３】
2004206323.tif 000005
【図４】
2004206323.tif 000006
【図５】
2004206323.tif 000007
【図６】
2004206323.tif 000008
【図７】
2004206323.tif 000009
【図８】
2004206323.tif 000010
【図９】
2004206323.tif 000011
【図１０】
2004206323.tif 000012
【図１１】
2004206323.tif 000013